(57)【特許請求の範囲】
【請求項１】
幅と奥行が略等しい略矩形状の一側中空部と、この一側中空部の内側面に奥行方向に間隔を置いて略平行に一体的に設けた表面板、裏面板と、この表面板の端部に裏面板に向けて一体的に設けた連結板を備えたアルミ押出形材の一側本体と、
幅と奥行が略等しい略矩形状の他側中空部と、この他側中空部の内側面に奥行方向に間隔を置いて略平行に一体的に設けた表面板、裏面板と、この裏面板の端部に表面板に向けて一体的に設けた連結板を備え、前記一側本体と同一断面形状のアルミ押出形材の他側本体を備え、
前記一側本体の連結板と前記他側本体の連結板を連結して幅広く奥行が短かい略長方形状の中間中空部と、この中間中空部の幅方向両側と一体的に連続した幅と奥行が略等しい略矩形状の一側中空部、他側中空部を有し、前記一側中空部、他側中空部の幅が中間中空部の幅よりも小さい偏平縦板状で、かつ中間中空部の奥行が一側中空部、他側中空部の奥行よりも短く中間中空部の表面と裏面に凹部を有する門柱本体と、
前記門柱本体の中間中空部に取付けた門柱部材と、
前記中間中空部の表面と裏面の凹部に設けた表面パネル、裏面パネルで構成したことを特徴とする門柱。
【請求項２】
一側本体の連結板と他側本体の連結板に、相互に嵌合する凹凸部を形成した請求項１記載の門柱。
【発明の詳細な説明】
【０００１】
【発明の属する技術分野】
本発明は、ポスト、照明、インターホン、表札などの門柱部材を備えた門柱に関する。
【０００２】
【従来の技術】
実公平７−５５２７２号公報に示された門柱が提案されている。
この門柱はアルミ押出形材の一対の支柱間に表面パネルと裏面パネルを取付けて空間部を有する門柱本体とし、この門柱本体の空間部に門柱部材の一種であるポスト（郵便受け）を取付けてある。
【０００３】
【発明が解決しようとする課題】
前述の門柱は、その門柱本体を形成する一対の支柱がそれぞれ独立しているので、表面パネルの幅方向両端部と裏面パネルの幅方向両端部を一対の支柱にそれぞれ連結している。
このために、支柱とパネルの連結箇所が多く、その連結作業が面倒で門柱本体の組立作業効率が悪い。
【０００４】
そこで、本発明は前述の課題を解決できるようにした門柱を提供することを目的とする。
【０００５】
【課題を解決するための手段】
第１の発明は、幅と奥行が略等しい略矩形状の一側中空部と、この一側中空部の内側面に奥行方向に間隔を置いて略平行に一体的に設けた表面板、裏面板と、この表面板の端部に裏面板に向けて一体的に設けた連結板を備えたアルミ押出形材の一側本体と、
幅と奥行が略等しい略矩形状の他側中空部と、この他側中空部の内側面に奥行方向に間隔を置いて略平行に一体的に設けた表面板、裏面板と、この裏面板の端部に表面板に向けて一体的に設けた連結板を備え、前記一側本体と同一断面形状のアルミ押出形材の他側本体を備え、
前記一側本体の連結板と前記他側本体の連結板を連結して幅広く奥行が短かい略長方形状の中間中空部と、この中間中空部の幅方向両側と一体的に連続した幅と奥行が略等しい略矩形状の一側中空部、他側中空部を有し、前記一側中空部、他側中空部の幅が中間中空部の幅よりも小さい偏平縦板状で、かつ中間中空部の奥行が一側中空部、他側中空部の奥行よりも短く中間中空部の表面と裏面に凹部を有する門柱本体と、
前記門柱本体の中間中空部に取付けた門柱部材と、
前記中間中空部の表面と裏面の凹部に設けた表面パネル、裏面パネルで構成したことを特徴とする門柱である。
【０００６】
第２の発明は、第１の発明において前記一側本体の連結板と他側本体の連結板に、相互に嵌合する凹凸部を形成した門柱である。
【０００８】
【作  用】
第１の発明によれば、一側中空部と他側中空部で門柱本体の強度を向上できる。中間中空部に門柱部材を取付けできる。中間中空部の表面と裏面と裏面の凹部に表面パネル、裏面パネルを設けたので、その表面パネル、裏面パネルが一側中空部、他側中空部の表面、裏面と略面一にできる。
これによって、幅広く奥行が短かいスッキリとした外観の門柱とすることができる。
また、門柱本体は、アルミ押出形材の一側本体の連結板と他側本体の連結板を連結したものであるから面倒な組立作業が不要で、門柱を簡単に組立できる。
また、中間中空部の表面と裏面の外観を表面パネル、裏面パネルで見栄え良いものにできる。
また、一側本体と他側本体は同一断面形状のアルミ押出形材で、その一側本体と他側本体を連結して門柱本体としたので、一側本体、他側本体が門柱本体よりも幅狭く、それらの押出成形が容易である。
【０００９】
第２の発明によれば、一側本体の連結板と他側本体の連結板を、凹凸部を相互に嵌合することで位置決めして仮止めできるので、一側本体と他側本体を容易に正確に連結できる。
【００１１】
【発明の実施の形態】
図１と図２と図３に示すように、門柱本体１の上端部に照明２、上部寄りに表札３、表札３の下方にインターホン４、インターホン４の下方にポスト（郵便受け）５が取付けてある。この照明２、表札３、インターホン４、ポスト５が門柱部材である。
前記門柱本体１は幅広（左右寸法大）で奥行が短かい（表裏寸法小）偏平縦板状で、門柱として玄関等に設置した場合に正面から見ると幅広く重厚な外観で、側面から見ると薄くスッキリとした外観である。
【００１２】
前記門柱本体１は図４に示すように一側中空部１０と中間中空部１１と他側中空部１２を有する偏平な縦板状のアルミ押出形材である。
前記一側中空部１０、他側中空部１２は幅と奥行が略等しい矩形状で、門柱本体１の強度を向上する。
前記中間中空部１１は幅が広く、奥行が一側中空部１１、他側中空部１２よりも短かい略長方形状である。
前記一側中空部１０の表面１０ａ、裏面１０ｂと他側中空部１２の表面１２ａ、裏面１２ｂは面一である。前記中間中空部１１の表面１１ａ、裏面１１ｂは前記各表面１１ａ，１２ａ、裏面１１ｂ，１２ｂよりも幅方向内側寄りで、門柱本体１の幅方向中央部（中間中空部１１の表面１１ａ、裏面１１ｂ部分）に凹部１３をそれぞれ有する。
前記各凹部１３に表面パネル１４と裏面パネル１５がそれぞれ接着してある。
この表面パネル１４、裏面パネル１５が一側中空部１０、他側中空部１２の表面１０ａ，１２ａ、裏面１０ｂ，１２ｂと略面一である。
【００１３】
前記一側中空部１０と他側中空部１２には鋼材製の補強材１６が、下端部から上下中間部までに亘って嵌合してある。
このようであるから、門柱本体１の強度を向上できると共に、要求される門柱本体１の強度（高さ寸法）によって補強材１６の肉厚を変えることで外観を同じのままで対応することが可能である。
【００１４】
前記門柱本体１は幅方向一側の一側本体２０と幅方向他側の他側本体３０より成る。
前記一側本体２０は一側中空部１０の内側面１０ｃに表面板２１と裏面板２２を奥行方向に間隔を置いて平行に一体的に設けたアルミ押出形材で、表面板２１の端部に連結板２３が裏面側に向けて一体的に設けてあり、その連結板２３は凹凸部２４を有する。
前記他側本体３０は他側中空部１２の内側面１２ｃに表面板３１と裏面板３２を奥行方向に間隔を置いて平行に一体的に設けたアルミ押出形材で、その裏面板３２に連結片３３が表面側に向けて一体的に設けてあり、その連結板３３は凹凸部３４を有する。
つまり、一側本体２０と他側本体３０は同一断面形状で、１つのアルミ押出形材を用いて表裏を反対として用いている。
【００１５】
一側本体２０の連結板２３の凹凸部２４と他側本体３０の連結板３３の凹凸部３４を相互に嵌合して仮連結し、その連結板２３と連結板３３をボルト・ナット２５で連結することで一側本体２０と他側本体３０を連結して門柱本体１とする。
各表面板２１，３１と各裏面板２２，３２で中間中空部１１を形成し、その各表面板２１，３１が表面１１ａ、各裏面板２２，３２が裏面１１ｂを形成する。
【００１６】
図５（ａ），（ｂ）に示すように、門柱本体１の中間中空部１１の表面１１ａ、裏面１１ｂにインターホン用開口部４０、ポスト用開口部４１がそれぞれ形成してある。
表面パネル１４は上部パネル１４ａ、中間パネル１４ｂ、下部パネル１４ｃに三分割される。上部パネル１４ａが上部に接着される。中間パネル１４ｂは上部パネル１４ａと離隔しかつインターホン用開口部４０を閉塞するように接着され、この中間パネル１４ｂにはインターホン用スリット４２とテレビカメラ用開口４３が形成してあり、それらがインターホン用開口部４０と対向する。
前記下部パネル１４ｃは中間パネル１４ｂと離隔して接着し、この下部パネル１４ｃと中間パネル１４ｂの間にポスト用開口部４１が開口する。
【００１７】
前記裏面パネル１５は上部パネル１５ａと下部パネル１５ｂに二分割される。その上部パネル１５ａと下部パネル１５ｂが離隔して接着され、その間にポスト用開口部４１が開口する。
前記上部パネル１５ａにはインターホン取付用開口部４４が形成してある。
【００１８】
前記照明２は図６と図７に示すように、ランプ５０等が取付けられた基板５１と、略下向コ字状のカバー５２と、このカバー５２の両端面に取付けた小口キャップ５３と、アクリルパネル等の透光板５４と、透光板支持材５５等を備えている。
【００１９】
門柱本体１の中間中空部１１の上部寄り裏面側に一対の鉤形のブラケット５６をビス５７で固着し、カバー５２の上面板５２ａを門柱本体１の上端面に接すると共に、その上面板５２ａのビスホール５２ｂをブラケット５６に当接し、係止片５２ｃを門柱本体１の裏面上部に係止してカバー５２を仮取付けする。上面板５２ａから図示しないビスをブラケット５６に螺合してカバー５２を取付ける。
前記基板５１は門柱本体１の中間中空部１１の表面に固着具５８で取付ける。この固着具５８はボルト５８ａと、そのボルト５８ａを締付けることで拡大変形するナット５８ｂより成り、そのナット５８ｂを上部パネル１４ａ、中間中空部１１表面の孔より中間中空部１１内に挿入してボルト５８ａを締付けることで取付ける。
前記透光板支持材５５は門柱本体１の中間中空部１１表面にボルト５９で取付ける。
前記透光板５４はカバー５２と透光板支持材５５とに亘って取付ける。
【００２０】
前記表札３は図６に示すように、門柱本体１の中間中空部１１の表面１１ａにおける上部パネル１４ａと中間パネル１４ｂとの間に接着などで取付ける。
この表札３は表面パネル１４と面一としてある。
【００２１】
前記インターホン４は図８と図９に示すように、インターホン本体６０とテレビカメラ６１を備えた取付板６２と、この取付板６２に固着した上下一対のブラケット６３と、カバー６４を備えている。
前記ブラケット６３は鉤形状の取付板取付部６３ａと、この取付板取付部６３ａと一体的に連続した鉤形状の取付兼カバー取付部６３ｂを有する。
【００２２】
前記取付板６２と一対のブラケット６３の取付板取付部６３ａを、前記上部パネル１５ａのインターホン取付用開口部４４、門柱本体１の中間中空部１１の裏面１１ｂのインターホン用開口部４０を通して中間中空部１１内に挿入し、取付板６２を表面１１ａのインターホン用開口部４０に嵌め込み、インターホン本体６１を中間パネル１４ｂのインターホン用スリット４２に合致させると共に、テレビカメラ６１をテレビカメラ用開口４３に合致させる。
ブラケット６３の取付兼カバー取付部６３ｂを固着具６５で裏面１１ｂに固着する。この固着具６５は前述の固着具５８と同様である。
前記ブラケット６３の取付兼カバー取付部６３ｂにカバー６４を嵌め合せ、ビス６６で固着する。
【００２３】
このようであるから、インターホン４を門柱本体１の裏面側から取付けでき、門柱本体１の表面パネル１４（中間パネル１４ｂ）にはインターホン用スリット４２とテレビカメラ用開口部４３が形成されているだけであるので、スッキリとした外観である。
また、カバー６４を外すことでインターホン本体６０、テレビカメラ６１に結線することができるし、それらを点検・修理できる。
【００２４】
前記ポスト５は図１０と図１１に示すように、ポスト口（受口）７０とポスト受箱８０を備えている。
前記ポスト口７０は上ポストガイド７１と下ポストガイド７２と開閉蓋７３を備えている。上ポストガイド７１に蓋７３の上部がピン７４で上下揺動自在に取付けられ、かつ蓋７３はスプリング７７で下方に揺動付勢されている。下ポストガイド７２に水密材７５が裏面側に向けて装着してある。
【００２５】
前記上ポストガイド７１と下ポストガイド７２は門柱本体１の表裏側のポスト用開口部４１の上縁部、下縁部に沿って表面側にビス７６でそれぞれ固着されている。この上ポストガイド７１に中間パネル１４ｂの下端面、上部パネル１５ａの下端面がそれぞれ接し、下ポストガイド７２に下部パネル１４ｃの上端面と下部パネル１５ｂの上端面がそれぞれ接し、前記ビス７６が表面から見えないようにしてある。
【００２６】
前記蓋７３は下端部が水密材７５に圧接して閉じ状態となり、蓋７３と下ポストガイド７２との間から雨水が浸入しないようにしてあると共に、蓋７３が閉じ状態の時には蓋７３の表面が表面パネル１４と略面一となるようにしてある。
【００２７】
前記ポスト受箱８０は表面板８１の上部に開口８２を有し、裏面板８３の下部に取出口８４を有し、この取出口８４はカバー体８５で開閉可能としてある。
前記ポスト受箱８０の表面板８１を門柱本体１の裏面に固着具８６で固着し、その開口８２が上ポストガイド７１、下ポストガイド７２と合致するようにしてある。前記固着具８６は前述の固着具５８と同様である。
前記ポスト受箱８０の底部には穴付き補助プレート８７が取付けてあり、このポスト受箱８０内に浸入した雨水が穴付き補助プレート８７よりも下方に流れ落ち、内部の郵便物などが雨水で漏れないようにしてある。
【００２８】
前記門柱は図１、図２、図３に示すように、門柱本体１の下端部分を地中に埋設して立設される。
前記門柱本体１の地中に埋設した部分にはアンカー６が取付けてある。
【００３０】
【発明の効果】
請求項１に係る発明によれば、一側中空部と他側中空部で門柱本体の強度を向上できる。中間中空部に門柱部材を取付けできる。中間中空部の表面と裏面と裏面の凹部に表面パネル、裏面パネルを設けたので、その表面パネル、裏面パネルが一側中空部、他側中空部の表面、裏面と略面一にできる。
これによって、幅広く奥行が短かいスッキリとした外観の門柱とすることができる。
また、門柱本体は、アルミ押出形材の一側本体の連結板と他側本体の連結板を連結したものであるから面倒な組立作業が不要で、門柱を簡単に組立できる。
また、中間中空部の表面と裏面の外観を表面パネル、裏面パネルで見栄え良いものにできる。
また、一側本体と他側本体は同一断面形状のアルミ押出形材で、その一側本体と他側本体を連結して門柱本体としたので、一側本体、他側本体が門柱本体よりも幅狭く、それらの押出成形が容易である。
【００３１】
請求項２に係る発明によれば、一側本体の連結板と他側本体の連結板を、凹凸部を相互に嵌合することで位置決めして仮止めできるので、一側本体と他側本体を容易に正確に連結できる。
【図面の簡単な説明】
【図１】門柱の正面図である。
【図２】門柱の背面図である。
【図３】門柱の側面図である。
【図４】門柱本体の横断面図である。
【図５】門柱本体と表面パネル、裏面パネルの分解斜視図である。
【図６】門柱の照明、表札取付部の縦断面図である。
【図７】図６のＡ−Ａ断面図である。
【図８】門柱のインターホン取付部の縦断面図である。
【図９】図８のＢ−Ｂ断面図である。
【図１０】門柱のポスト取付部の縦断面図である。
【図１１】図１０のＣ−Ｃ断面図である。
【符号の説明】
１…門柱本体
２…照明
３…表札
４…インターホン
５…ポスト
１０…一側中空部
１１…他側中空部
１２…中間中空部
１３…凹部
１４…表面パネル
１５…裏面パネル
１６…補強材
２０…一側本体
２１…表面板
２２…裏面板
２３…連結板
２４…凹凸部
３０…他側本体
３１…表面板
３２…裏面板
３３…連結板
３４…凹凸部
【図１】
0003603262.tif 000002
【図２】
0003603262.tif 000003
【図３】
0003603262.tif 000004
【図４】
0003603262.tif 000005
【図５】
0003603262.tif 000006
【図６】
0003603262.tif 000007
【図７】
0003603262.tif 000008
【図８】
0003603262.tif 000009
【図９】
0003603262.tif 000010
【図１０】
0003603262.tif 000011
【図１１】
0003603262.tif 000012